(57)【要約】【課題】遠投性能及び方向性に優れ、所要タナ到達後にコマセを放出することができ、着水時から所要タナ到達までの過程で釣り針とコマセ籠又は道糸との絡みも確実に防止し、しかも簡単な構成にして安価に提供できる遠投用コマセ籠を提供する。【解決手段】遠投時にコマセ籠の開口部に浮きを嵌合して両者を一体化するようにした遠投用コマセ籠において、開口部にスリットを形成する一方、道糸に浮きと遠投用コマセ籠との間に位置して回転止めを設け、遠投用コマセ籠が所要タナに到達するまでは該回転止めをスリット内側に係合させて、遠投用コマセ籠を有底部を下にした状態に保持、道糸及びハリスの弛み防止、内部の釣り針の放出防止を行わせ、所要タナ到達後に竿のシャクリにより上記回転止めをスリットから外して遠投用コマセ籠の回転と、内部の釣り針の放出を可能とした。【選択図】図２
2012217406.tif 000002
【特許請求の範囲】
【請求項１】
一端に開口部を、他端に錘を有する有底部を設け、この有底部に上記浮きからの道糸と、釣り針を有するハリスを接続してなり、
遠投時には上記開口部に浮きの一端を嵌合して一体化すると同時に同開口部を閉塞し、着水後には該浮きと分離し、しかる後所定タナに到達するまでは有底部を下にして水没し、所定タナに到達後に反転するようにした断面略Ｕ形状のコマセ籠を有する遠投用コマセ籠において、
上記コマセ籠の開口部にスリットを形成する一方、上記道糸に浮きとコマセ籠との間に位置して該スリット幅と略同一若しくは若干大きい径の回転止めを設けてなり、
上記ハリスを上記スリットを介してコマセ籠内に導出し釣り針をコマセ籠内部に収納した後、上記道糸の回転止めを上記スリットに強制的に通して同スリット内側に係合せしめ、このスリット内側に係合した回転止めにより浮きと分離したコマセ籠が所要タナに到達するまでは、同コマセ籠の回動動作を規制すると共に有底部の錘と相俟って該コマセ籠を有底部を下にした状態に保持し、
所要タナ到達後に竿のシャクリに伴うコマセ籠の水の抵抗に抗して道糸を引っぱることにより上記回転止めをスリットから外して、該コマセ籠の回動規制を解除すると共にハリスをフリー状態と成し、同コマセ籠を反転させると共に内部の釣り針を外部に放出するようにしたことを特徴とする遠投用コマセ籠。
【発明の詳細な説明】
【技術分野】
【０００１】
本発明は、遠投カゴ釣りに用いられる遠投用コマセ籠に関するものである。
【背景技術】
【０００２】
一般に、磯釣りや堤防などで行われる遠投カゴ釣りは、遠投用のリール付き竿、道糸、浮き、コマセ籠、ハリスなどから成る釣具を用い、磯や堤防から数十ｍ、例えば４０ｍ〜８０ｍ離れた位置まで遠投し、しかる後一定の深さの所要タナまでコマセ籠を沈め、同コマセ籠からコマセを放出してハリスにより魚を釣るようにしている。
【０００３】
しかし、上記一般に用いられている遠投カゴ釣りの釣具は、道糸に浮きとコマセ籠をそれぞれ別個に設けるようにしているため、遠投時に浮き及びコマセ籠が受ける空気抵抗や風の影響で、目的とする遠くのポイント位置まで容易に遠投できないばかりか、該浮きとコマセ籠が受ける空気抵抗も個々に違うため、方向性も定まらず困難を要していた。特に、釣りの熟練者は未だよいが素人では非常に困難を要するものであった。更に、着水時の衝撃やコマセ籠が所要タナに到達する過程で同コマセ籠内に収納したコマセが放出されてしまう問題を有していた。
【０００４】
このため、遠投時にコマセ籠と浮きを一体化すると共に、所要タナ到達後にコマセを放出するようにした釣具が、例えば実開平１−６６８７２号公報（特許文献１）や実開平７−３００６３号公報（特許文献２）にて提案されている。
【０００５】
特許文献１は、一端に開口部を有する断面Ｕ形状のコマセ籠と、この開口部に嵌合する浮きとを備えた遠投用の釣具であって、遠投時には上記コマセ籠の開口部に浮きの一端を嵌合して同コマセ籠と浮きを一体化し、着水後にこの両者を分離し、分離されたコマセ籠を所要タナに到達後に反転させて内部のコマセを放出するようにした遠投用の釣具である。
なお、ハリスに設けた釣り針は、コマセ籠の開口部より内部のコマセの上に一緒に入れるようにしている。
【０００６】
また、上記特許文献２は、円筒部と上下蓋体からなる３段構成とし、下端にハリス、上端に道糸が接続され、上端に嵌合部を備えたコマセ籠と、道糸に所定の範囲内で移動可能に取付けられた挿入部を有する浮きを備えた遠投用の釣り具であって、遠投時には上記コマセ籠の嵌合部に浮きの挿入部を嵌合して一体化し、着水後にこの両者を分離し、分離されたコマセ籠が所定タナに到達後、先ず上部蓋体を開放し、次いで下部蓋体を開放して順次コマセを放出するようにした遠投用の釣り具である。
なお、ハリスに設けた複数（図面中は２ケ）の釣り針は、それぞれコマセ籠の上部蓋体、下部蓋体の中にコマセと一緒に入れ、各上下蓋体の開放によりコマセと一緒に順次放出するようにしている。
【先行技術文献】
【特許文献】
【０００７】
【特許文献１】実開平１−６６８７２号公報
【特許文献２】実開平７−３００６３号公報
【発明の開示】
【発明が解決しようとする課題】
【０００８】
上記特許文献１は、遠投時にコマセ籠の開口部に浮きを嵌合して一体化することにより遠投性能及び方向性の向上を図ると共に、コマセ籠を所要タナ到達後に反転することにより所要タナの釣りポイントにコマセを撒くことができ、しかも構造も簡単で安価に提供できるので実用化も行われている。
【０００９】
しかしながら、上記特許文献１の遠投用の釣具においては、浮きと分離して開口されたコマセ籠の開口部から内部に収納した釣り針が着水時の衝撃により外部に放出されることがあった。また、着水時の衝撃により内部の釣り針が放出されない場合においても、分離されたコマセ籠が所要タナに到達する過程において、コマセ籠とこのコマセ籠に接続されたハリスに加わる水の抵抗の違いにより該ハリスが引っぱられ、これに伴って内部の釣り針も引っぱられて外部に放出されるものであった。このため、外部に放出された釣り針がコマセ籠や道糸と絡んでしまう問題を有していた。
【００１０】
この点、上記特許文献２の遠投用の釣具は、遠投時に接続具を介して浮きとコマセ籠を一体化することにより遠投性能及び方向性の向上を図ると共に、コマセ籠が所要タナ到達後にその上下蓋体を順次開放して、所要タナの釣りポイントに内部のコマセ及び釣り針を順次放出してなるので、該コマセ籠が所要タナに到達するまでは内部に収納した釣り針は放出されることもなく、特許文献１のような着水後から所要タナ到達までの過程で釣り針と道糸又はコマセ籠が絡むと云った問題も生じなく好ましいものである。
しかしながら、上記コマセ籠は３段構成、上下蓋体の移動機構、浮きとの嵌合離脱機構など構造が複雑でコスト高となるばかりか、コマセを上下それぞれに収納するなど作業性も煩雑で使い勝手が悪いため実用化されていないのが実情である。
【００１１】
本発明は上記点に鑑みなされたもので、遠投性能及び方向性に優れ、所要タナ到達後にコマセを放出することができ、着水時から所要タナ到達までの過程で釣り針とコマセ籠又は道糸との絡みも確実に防止でき、しかも簡単な構成にして安価に提供できる遠投用コマセ籠を提供するものである。
【課題を解決するための手段】
【００１２】
本発明は、一端に開口部を、他端に錘を有する有底部を設け、この有底部に上記浮きからの道糸と、釣り針を有するハリスを接続してなり、
遠投時には上記開口部に浮きの一端を嵌合して一体化すると同時に同開口部を閉塞し、着水後には該浮きと分離し、しかる後所定タナに到達するまでは有底部を下にして水没し、所定タナに到達後に反転するようにした断面略Ｕ形状のコマセ籠を有する遠投用コマセ籠において、
上記コマセ籠の開口部にスリットを形成する一方、上記道糸に浮きとコマセ籠との間に位置して該スリット幅と略同一若しくは若干大きい径の回転止めを設けてなり、
上記ハリスを上記スリットを介してコマセ籠内に導出し釣り針をコマセ籠内部に収納した後、上記道糸の回転止めを上記スリットに強制的に通して同スリット内側に係合せしめ、このスリット内側に係合した回転止めにより浮きと分離したコマセ籠が所要タナに到達するまでは、同コマセ籠の回動動作を規制すると共に有底部の錘と相俟って該コマセ籠を有底部を下にした状態に保持し、
所要タナ到達後に竿のシャクリに伴うコマセ籠の水の抵抗に抗して道糸を引っぱることにより上記回転止めをスリットから外して、該コマセ籠の回動規制を解除すると共にハリスをフリー状態と成し、同コマセ籠を反転させると共に内部の釣り針を外部に放出するようにしたことを主要な特徴とする。
【発明の効果】
【００１３】
本発明による遠投用コマセ籠においては、遠投時にコマセ籠の開口部に浮きを嵌合して両者を一体化することにより、遠投性能及び方向性の向上を図り所望の遠くのポイント位置まで容易に遠投させることができる。また、着水後浮きと分離したコマセ籠が所要タナに到達するまでは、スリット内側に係合した回転止めによるコマセ籠の回動規制と有底部に設けた錘により、同コマセ籠を有底部を下にした状態に確実に保持することができると共に、上記スリット内側に係合した回転止めによりハリスをその上部から押さえて同ハリスの緩み防止と内部に収納した釣り針の外部への放出を確実に防止することができ、着水時からコマセ籠が所要タナに到達する過程での釣り針と道糸又はコマセ籠との絡みを確実に防止できる利点がある。
【００１４】
また、コマセ籠が所要タナ到達後に上記回転止めをスリットから外してコマセ籠の回動規制解除とハリスをフリー状態と成し、同コマセ籠の反転動作とこれにより内部の釣り針を外部に放出してなるので、所要の釣り状態とすることができると共に釣りポイントに的確にコマセを撒くことができる利点がある。
【００１５】
また、複数の釣り針を設けたハリスを用いる場合においては、最下端に位置する釣り針のみをコマセ籠内に収納し、それ以外の釣り針をコマセ籠外周面に巻回したハリスにより同コマセ籠外周面に保持するようにしてなるが、コマセ籠が所要タナ到達するまでは上記回転止めによりハリスの緩みを防止し、コマセ籠内に収納した釣り針の外部への放出を阻止すると同時に、巻回されたハリスの緩みを防止しコマセ籠外周面に保持された釣り針が外れるのを阻止してなるので、釣り針と道糸又はコマセ籠との絡み発生を確実に防止することができる利点がある。
【００１６】
また、所要タナ到達後に上記回転止めをスリットから外してハリスをフリー状態とすることにより、コマセ籠の反転動作及びコマセ籠内に収納した釣り針の外部への放出、更には巻回されたハリスを解きコマセ籠外周面に保持されていた釣り針の放出を可能とし、所要の釣り状態にできるので複数の釣り針を有するハリスにも対応できる利点がある。
【００１７】
しかも、本発明の遠投用コマセ籠は極めて簡単な構成にしてなし得、安価に提供することができる利点がある。
更に、本発明の遠投用コマセ籠に使用する浮きは、コマセ籠の開口部に嵌合し同開口部を閉塞するものでよいため、市販の棒状又は砲弾型の遠投ウキをそのまま利用することができるものである。
【図面の簡単な説明】
【００１８】
【図１】本発明の一実施例を示す遠投用コマセ籠の斜視図である。
【図２】図１の遠投用コマセ籠の断面図である。
【図３】本発明の一実施例を示す遠投用コマセ籠の遠投前の状態を示し、（ａ）は回転止めをコマセ籠のスリット内側に係合させる前後の状態を示すコマセ籠の要部拡大断面図、（ｂ）は浮きを嵌合した状態を示すコマセ籠の要部拡大断面図である。
【図４】本発明の一実施例を示す遠投用コマセ籠の着水後の状態を示し、（ａ）は着水時に天秤が外れた状態を示すコマセ籠の要部拡大断面図、（ｂ）は水没する状態を示すコマセ籠の要部拡大断面図、（ｃ）は竿のシャクリにより回転止めがスリットから外れた状態を示すコマセ籠の要部拡大断面図、（ｄ）はコマセ籠の反転と同時に内部の釣り針が放出された状態を示すコマセ籠の要部拡大断面図である。
【図５】本発明の一実施例を示す遠投用コマセ籠の上面図である。
【図６】図１の遠投用コマセ籠を用いた釣具の遠投前の釣具全体構成を示す説明図である。
【図７】図６の遠投用コマセ籠の着水時から所要タナ到達までのコマセ籠の状態を示し、（ａ）は着水直後の状態を示す説明図、（ｂ）は天秤が元の状態に復帰した状態を示す説明図、（ｃ）は遠投用コマセ籠が水没する状態を示す説明図である。
【図８】図７の遠投用コマセ籠の所定タナ到達後の状態を示し、（ａ）はコマセ籠が反転した状態を示す説明図、（ｂ）は釣り状態となった時の説明図である。
【発明を実施するための最良の形態】
【００１９】
以下本発明の遠投用コマセ籠を図を用いて詳細に説明する。
図１及び図２に示す遠投用コマセ籠本体１は、断面略Ｕ形状のコマセ籠２と、このコマセ籠２の有底部５に設けた弾性力を有する天秤９とから大略構成している。
【００２０】
上記コマセ籠２は、図１及び図２に示すように内部にコマセ収納部３を、その一端に浮き１２が嵌合される開口部４を、他端に錘６を内蔵する有底部５から構成している。そして、このコマセ籠２の開口端側外壁に図１と図２と図５に示すように道糸Ｍをコマセ籠２の内部に導くためのスリット７を複数個形成し、上記開口部４部位に後述する浮きを嵌合する際の所要の弾性力を付与するようにしている。また、コマセ籠２の外周壁及び有底部５には必要に応じて複数の水抜き孔８を形成している。
【００２１】
上記コマセ籠２の開口部４に嵌合する浮き１２は、例えば図２に示すように内部に道糸Ｍを通す貫通孔１３を有する棒状中通し式の遠投浮きが用いられる。この浮き１２の下端部にはコマセ籠２の開口部４の内径と略同一外径且つ所要長さとした嵌合部１５と、その上部に外周に突出する断面鉤状の係止部１６を有する係止環１４が設けられている。
なお、浮き１２の貫通孔１３を通して導出された道糸Ｍは結着部（サルカンなど）１１ａを介して上記コマセ籠２の有底部５に接続されている。
【００２２】
上記コマセ籠２の有底部５に設けられた天秤９は、錆び難い１本の針金部材によって弾性力を有して構成され、通常時には図１及び図２に示すようにコマセ籠２に対して周方向に突出すると共に、同コマセ籠２側に所要角度傾斜した状態に形成されている。
【００２３】
そして、この天秤９の先端部９ａには、上記浮き１２の係止環１４の係止部１６に係止するフック部１０を形成している。また、同天秤９には結着部（サルカンなど）１１ｂを介してハリスＳが移動自在に設けられており、このハリスＳが天秤９の基端部９ｂと先端部９ａとの間で移動可能としている。なお、ハリスＳは１個又は複数個の釣り針を有するものであってもよく、図１及び図２においては複数個の釣り針１７を有するハリスＳを示している。
【００２４】
なお、図１及び図２に示すように道糸Ｍには浮き１２の前後に位置して浮き止め１８・１８を設けると共に、下部側の浮き止め１８の下方に位置して更に上記スリット７の幅と略同一若しくは若干大きい径の回転止め１９を設けている。
【００２５】
次ぎに、その使用時について以下詳述する。
先ず、図２に示すようにコマセ籠２のコマセ収納部３内に開口部４から撒き餌（コマセ）ａを入れた後、ハリスＳの結着部１１ｂを天秤９の基端部９ｂ側に位置させた状態で、図６に示すようにハリスＳをコマセ籠２の外周面に巻回して図３（ｂ）に示すように最下端となる餌を付けた釣り針１７を上記スリット７を介してコマセ収納部３内に入れる。
なお、複数個の釣り針１７が設けられたハリスＳにあっては、図６に示すように上部側に位置する釣り針１７を順番にコマセ籠２外周面に置いた上からハリスＳを巻回することによりコマセ籠２外周面に釣り針１７を順次保持させ、最後に最下端となる釣り針１７をスリット７を介してコマセ収納部３内に入れる。
【００２６】
なお、例えば天秤９の先端にハリスＳを設けた場合には、同天秤９がコマセ籠２の外側面に沿わせた略平行状態から周方向に突出する状態に復帰動作させるために予めハリスＳに所要の弛みを付与する必要がある。このハリスＳに付与する弛みによってコマセ籠２外周面に巻回したハリスＳが緩み解けてしまうため、コマセ籠２外周面に保持させていた釣り針１７も外れてコマセ籠２又は天秤９と絡んでしまう畏れがあるが、ハリスＳの結着部１１ｂを天秤９の基端部９ｂに位置させてハリスＳの弛みがない状態で巻回できるので、巻回したハリスＳが緩んで解け釣り針１７が外れるのを確実に阻止し、釣り針１７とコマセ籠２又は道糸Ｍとの絡みを未然に防止することができるものである。
【００２７】
しかる後、図２や図３（ａ）に示すように回転止め１９をスリット７に強制的に通して浮き１２下部の道糸Ｍをコマセ籠２内に導出する。この際、図３（ａ）に示すようにスリット７下端内側にてハリスＳを上から押さえるようにして回転止め２０が位置するため、コマセ収納部３内に収納した最下端に位置する釣り針１７がスリット７から抜け出るのを確実に阻止すると同時に、ハリスＳの緩みを阻止することができる。
【００２８】
そして、浮き１２をコマセ籠２の開口部４に嵌合すると、コマセ籠２の開口部４は上記浮き１２にて閉塞される。この際、コマセ籠２の開口部４の内径と浮き１２の嵌合部１５の外径寸法とを略同一にしてなるので、コマセ籠２の開口端部の弾性力と相まって適度なフリクションを有して嵌合されることになる。
【００２９】
ここで、浮き１２を図４（ａ）に示すように係止環１４の係止部１６の段差部がコマセ籠２の開口部４の開口端と接するまで押し込んだ状態において、図２に示す周方向に突出した状態の天秤９を図４（ａ）に示すようにコマセ籠２側面近くまで回動し、図３（ｂ）に示すように浮き１２を離脱方向に若干移動すると天秤９のフック部１０が浮き１２の係止部１６に係止し、該天秤９はコマセ籠２の外側面に沿わせた略平行状態に保持される。これと同時に浮き１２はこれ以上の離脱方向への動きが規制され、開口部４から抜けるのを阻止される。この状態において、上記浮き１２は同図３（ｂ）に示すように係止部１７の段差部とコマセ籠２の開口部４の開口端との間隙Ｘ分だけ嵌合方向に移動可能な状態とされている。
【００３０】
次に、図６に示す状態において竿を振りかざして遠投すると、コマセ籠２は錘６を内蔵する有底部５側を先頭として飛行する。この際、コマセ籠２と浮き１２は略直線上に一体化された結合状態で飛行すると共に、天秤９もこのコマセ籠２の外側面に沿った略平行状態に保持されて一緒に飛行するので、遠投時の空気抵抗も大幅に低減し、風の影響も受け難く且つ方向性も安定するので、遠投性能を著しく向上することができる。よって、釣りの熟練者のみならず初心者でも目的とする遠方のポイントまで容易に遠投することができる。
【００３１】
そして、着水時には、図７（ａ）に示すように結合状態のコマセ籠２と浮き１２は同コマセ籠２の有底部５を下にして着水するが、この着水時の衝撃によって該浮き１２が図３（ｂ）に示す位置から図４（ａ）に示す位置に移動、即ち嵌合方向に間隙Ｘ分移動する。これにより、天秤９のフック部１０と浮き１２の係止部１６との係止が外れ、図４（ａ）と図７（ｂ）に示すように天秤９は自身の弾性力により元のコマセ籠２に対して周方向に突出する状態に復帰すると同時に、浮き１２の離脱方向の動き規制も解除される。
【００３２】
これにより、浮き１２は、浮き１２自身の浮力とコマセ籠２のコマセ収納部３内に浸入してきた海水の水圧などによってコマセ籠２の開口部４から分離するので、分離した浮き１２は海面に浮かぶ一方、コマセ籠２は所定タナまで沈んでいく。
この際、図４（ｂ）に示すように回転止め１９がスリット７下端内側に係合してコマセ籠２の上部回動規制を行うと共に、コマセ籠２の有底部５に内蔵した錘６と相俟って、図７（ｃ）に示すように同コマセ籠２を有底部５を下にした状態に保持されて沈み、所定タナに到達することになる。なお、コマセ籠２が水没する過程で、仮にハリスＳに水の抵抗等により引っぱり力が加わったとしても、上記回転止め１９がスリット７下端内側に係合し、内部の釣り針１７が外部に放出されるのを確実に阻止している。
【００３３】
所定タナ到達後に竿をシャクルと、コマセ籠２が受けるの水の抵抗に抗して道糸Ｍが引っぱられるため、図４（ｃ）に示すように回転止め１９がスリット７から外れ、これによりコマセ籠２の回動規制とハリスＳの緩み規制が解除される。よって、図４（ｃ）及び図８（ａ）に示すようにコマセ籠２が回動動作を行い、これに伴って内部の釣り針１７も外部に放出されると共に、コマセ籠２の外周面に巻回したハリスＳも解けるので、この巻回したハリスＳにより同コマセ籠２外周面に保持されていた他の釣り針１７も順次開放されることとなる。
【００３４】
ハリスＳが全て解けると、ハリスＳの結着部１１ｂは、天秤９の下方向の傾斜によって基端部９ｂ側から先端部９ａ側に移動するので、同天秤９の先端部９ａに最終的に達し本来の天秤機能が作用することとなる。以上により、水中での釣りの仕掛けは完了し、以後は竿をシャクってコマセ籠２を上下動しコマセ収納部３内の撒き餌（コマセ）ａを適量放出して釣りを楽しむ。
【００３５】
上述したように、遠投時は無論のこと、着水時から所定タナに達してコマセ籠２が反転するまでは、ハリスＳは緩みのない状態でコマセ籠２の外周面に巻回してなるので、この過程で勝手にハリスＳが緩んで釣り針１７が放出されて道糸Ｍやコマセ籠２と絡むのを防止することができる。
【００３６】
また、上記各実施例においては、ハリスＳに複数の釣り針１７を設けたものについて説明したが、例えば1個の釣り針１７を有するハリスでもよく、この場合ハリスＳを上記実施例のようにコマセ籠２の外周面に巻回して先端部の釣り針１７部位をコマセ籠２内に収納するようにしても、若しくは特段コマセ籠２の外周面に巻回せずに先端部の釣り針１７部位をコマセ籠２内に収納するようにしても構わない。
【００３７】
また、上記各実施例においては浮き１２に一般的な棒状中通し式の遠投浮きを用いたものについて説明したが、これに限定されるものではなく例えば一般的な環付き遠投浮きを用いても何等構わない。また、棒状タイプの浮きに限らず、コマセ籠２の開口部４に嵌合して同開口部４を閉塞できる形状であれば砲弾型タイプの浮きであっても構わない。
【００３８】
上述のように遠投性能に優れ、所要タナ到達後にコマセを放出することができ、着水時から所要タナ到達までの過程で釣り針とコマセ籠又は道糸との絡みも確実に防止できる遠投用コマセ籠を、極めて簡単な構成にして安価な提供することができるものである。
【符号の説明】
【００３９】
１    遠投用コマセ籠本体
２    コマセ籠
３    コマセ収納部
４    開口部
５    有底部
６    錘
７    スリット
８    水抜き孔
９    天秤
９ａ    先端部
９ｂ    基端部
１０    フック部
１１ａ、１１ｂ    結着部（サルカンなど）
１２    浮き
１３    貫通孔
１４    係止環
１５    嵌合部
１６    係止部
１７    釣り針
１８    浮き止め
１９    回転止め
ａ    撒き餌（コマセ）
Ｍ    道糸
Ｓ    ハリス
【図１】
2012217406.tif 000003
【図２】
2012217406.tif 000004
【図３】
2012217406.tif 000005
【図４】
2012217406.tif 000006
【図５】
2012217406.tif 000007
【図６】
2012217406.tif 000008
【図７】
2012217406.tif 000009
【図８】
2012217406.tif 000010